(57)【特許請求の範囲】
【請求項１】
４分割形受光セルを備えた受光素子を有し、上記４分割形受光セルの互いに対角に位置する２つのセルの出力を組として加算して２つの組の出力を得、この２つの組の出力の位相を比較してトラッキング誤差信号を得るようにした光学的情報再生装置において、
上記４分割形受光セルの各セルに接続された配線パターンを介して上記４分割形受光セルからの出力を取り出すようになっており、
上記対角に位置する一組のセルに接続される２つの配線パターンと上記対角に位置する他の一組のセルに接続される他の２つの配線パターンとの間には、上記４分割形受光セルからの出力とは異なる性質の信号が通る配線パターンが配置されていることを特徴とする光学的情報再生装置。
【請求項２】
上記対角に位置する一組のセルに接続される２つの配線パターンは隣接して配置されるとともに、上記対角に位置する他の一組のセルに接続される他の２つの配線パターンは隣接して配置されている請求項１記載の光学的情報再生装置。
【請求項３】
上記対角に位置するセルに接続される２つの配線パターンの間に、他の配線パターンが配置されてなる請求項１記載の光学的情報再生装置。
【請求項４】
４分割形受光セルからの出力とは異なる性質の信号が通る配線パターンは、電源供給線、グランド線等のインピーダンスの低い配線パターン、または周波数帯域の異なる信号が通る配線パターン、もしくは上記４分割形受光セルとは異なる受光セルに接続された配線パターンの何れかである請求項１記載の光学的情報再生装置。
【請求項５】
隣接して配置される２つの配線パターンは、トラッキング誤差信号を得るための信号を流すものである請求項２記載の光学的情報再生装置。
【請求項６】
４分割形受光セルを備えた受光素子は、各受光セルに電気的に接続されるとともに回路配線基板に接続される端子を有するものであり、
対角に位置する一組のセルに接続される２つの端子と対角に位置する他の一組のセルに接続される他の２つの端子との間には、上記４分割形受光セルからの出力とは異なる性質の信号が通る端子が配置されている請求項２、３または４記載の光学的情報再生装置。
【請求項７】
前記受光素子は光ピックアップ装置に設けられ、２つの組の出力の位相を比較する位相比較部は光学的情報再生装置の制御基板に設けられ、上記光ピックアップ装置の受光素子と上記制御基板との間はフレキシブル回路基板で接続されている請求項４記載の光学的情報再生装置。
【発明の詳細な説明】
【０００１】
【発明の属する技術分野】
本発明は、ＣＤ，ＤＶＤ等の記録媒体に記録されている情報信号を光学的に読み取る光学的情報再生装置に関するもので、特にその電気的配線パターンあるいは端子の配置パターンに関する。
【０００２】
【従来の技術】
光学的情報再生装置は、記録媒体に記録されている情報信号を光学的に読み取るばかりでなく、トラッキング誤差検出、フォーカシング誤差検出のための受光素子を有している。受光素子は、周知の４分割受光セルのほかに、例えば３ビームによるトラッキング誤差検出のための受光セルを有しているものもあり、これら各セルが１チップ上に配置されている。そしてこの１チップからなる受光素子は、各受光セルの検出信号を外部回路に導くための出力端子、電源を受光素子に導入するための電源端子、グランド端子、その他適宜の端子を有している。これら端子の配置は、受光素子のメーカーにおいて決定され、この受光素子を光学的情報再生装置に組み込むときは、外部回路に接続するためのフレキシブルプリント基板等の配線パターンの順序、出力用コネクタのピン配置順序等を、受光素子の端子配列に対応させて決定していた。
【０００３】
図５は、従来の光学的情報再生装置における配線パターンの例を示す。図５において、光ピックアップ４０は、フレキシブルプリント基板などからなる配線パターン４６の介在の下に、システムボード５０のフロントエンドＩＣ５２に接続されている。光ピックアップ４０は受光素子４２を有する。受光素子４０は、一側部にＥ，Ｖｃｃ，Ｖｃ，ＧＮＤ，Ｆの各端子をこの順に有し、他方の側部にＡ，ＲＦ，Ｂ，Ｃ，Ｄ，Ｆ，Ｅ，ＧＮＤの各端子をこの順に有している。受光素子４２は光ピックアップ４０内の配線基板上に実装され、この配線基板上の配線パターン４４を経てコネクタに接続されている。配線パターン４４は、ジャンパー線４５、その他の迂回パターン等を有することによって、コネクタの配置は、Ａ，ＲＦ，Ｂ，Ｃ，Ｄ，Ｆ，Ｅ，ＧＮＤの順になっている。
【０００４】
上記システムボード５０側もコネクタを有し、このコネクタからフロントエンドＩＣ５２に至る配線パターン４８を有する。このシステムボード５０側のコネクタ配置と配線パターン４８は、上記光ピックアップ４０側のコネクタ配置に合わせて配置されていて、光ピックアップ４０側のコネクタとステムボード５０側のコネクタとを上記フレキシブルプリント基板等の配線パターン４６が電気的に接続している。
【０００５】
図５に示す例における受光素子４２の端子Ａ，Ｂ，Ｃ，Ｄは図２に示す４分割型受光セル２４と同一形状の４分割形受光セルにつながる。これらの端子からの出力信号は、位相差方式のトラッキング誤差信号を生成するために用いられる。図５に示す例のコネクタおよび配線パターン配置を見ると、４分割形受光セルからの信号線のうちＢ，Ｃ，Ｄがこの順序で隣接して並んでいる。隣接している信号線Ｂ，Ｃは互いに位相関係が異なっており、隣接している信号線Ｃ，Ｄも互いに位相関係が異なっている。そのため、信号線Ｂ，Ｃ，Ｄ間でクロストークが生じ、上記の位相差方式による的確なトラッキング誤差信号を得ることができない、という難点がある。以下、図６ないし図８を参照しながら、位相差方式のトラッキング誤差信号生成について概略を説明し、クロストークによって的確なトラッキング誤差信号を得ることができない理由を説明する。
【０００６】
図６において、符号５４は４分割形受光セルを示す。４分割形受光セル５４は受光面が４分割されて、ａ，ｂ，ｃ，ｄの４つの受光セルを有する。受光セルａとｄの配列方向および受光セルｂとｃの配列方向はトラック方向であり、これをＸ軸方向とする。受光セルａとｂの配列方向および受光セルｃとｄの配列方向はトラック方向に直交する方向であり、これをＹ軸方向とする。２つの受光セルａとｃは互いに対角に位置し、他の２つの受光セルｂとｄも互いに対角に位置している。互いに対角に位置する２つの受光セルａとｃの出力を組として加算器５６で加算され、加算信号６６を得るようになっている。互いに対角に位置する他の２つの受光セルｂとｄの出力も組として加算器５７で加算され、加算信号６８を得るようになっている。
【０００７】
上記加算信号６６は、波形等化回路５８で波形等化され、かつ、波形整形回路６０で波形整形され、位相比較回路６２に入力される。同様に、上記加算信号６８は、波形等化回路５９で波形等化され、かつ、波形整形回路６６で波形整形され、位相比較回路６２に入力される。位相比較回路６２では、入力された２つの組の出力の位相を比較し、２つの組の出力の位相差に等しい幅を持つパルス信号を出力する。このパルス信号は低域通過フィルタ６４により積分され、トラッキング誤差信号として出力されるようになっている。
【０００８】
次に、上記位相差方式トラッキング誤差検出回路の検出原理について説明する。図７は光スポット７０がトラック中心上を移動している場合を示す。光スポット７０と記録媒体のピット７２とが図７（ａ）に示す関係にあるとき、ピット７２による光の回折で遠視野内に生じる暗領域７４、７６は、図７（ｂ）に示すように、４つの受光セルａ，ｂ，ｃ，ｄに等しい面積で生じる。よって、図７（ｃ）に示すように、受光セルａ，ｂ，ｃ，ｄの出力信号波形は同じ波形となり、加算器５６の出力波形６６と加算器５７の出力波形６８も図７（ｄ）に示すように同じ波形となる。これは位相差がゼロの状態である。
【０００９】
図８は、同図（ａ）に示すように、記録媒体上の光スポット７０がトラック中心からＹ軸方向にΔｙだけ変位した状態で移動する場合を示す。光スポット７０とピット７２とが図８（ａ）に示す関係にあるとき、遠視野内に生じる暗領域７４、７６は、同図（ｂ）のようになり、４つの受光セルａ，ｂ，ｃ，ｄに生じる暗領域の面積に差を生じる。これによって、受光セルａとｃ、受光セルｂとｄの出力信号、およびこれらａとｃを加算した信号、ｂとｄを加算した信号に、同図（ｃ）（ｄ）に示すようにΔｔ１の位相差を生じ、位相比較回路６２からはΔｔ１のパルス幅をもったパルス信号が出力される。このパルス信号は低域通過フィルタ６４により積分され、上記変位量Δｙに応じた出力値となり、この出力値に応じてトラッキング制御が行われる。
【００１０】
【発明が解決しようとする課題】
以上説明した位相差方式トラッキング誤差検出によれば、例えば１倍速から１２倍速のＣＤ−ＲＯＭやＤＶＤ−ＲＯＭドライブの場合、各受光セルａ，ｂ，ｃ，ｄからの出力信号周波数は、４．５ＭＨｚ〜５０数ＭＨｚというように相当高い周波数になる。そのため、図５に示す従来の光学的情報再生装置の例のように、互いに位相関係が異なる信号が通るＢ，Ｃ，Ｄの端子および配線パターン同志が隣接して配置されていると、隣接する一方の配線パターンから信号が漏れて他方の配線パターンの信号に重なり、お互いに信号を潰し合う。これがクロストークであって、これによって的確なトラッキング誤差信号を得ることができなくなってしまう。かかる問題は、記録媒体のドライブ速度が高くなればなるほど顕著になる。図５に示す従来例では、８倍速程度が限界であり、それ以上になると信号線同志のクロストークが顕著になり、的確なトラッキング誤差信号を得ることができなくなる。
【００１１】
ちなみに、信号ＡとＣの和と、信号ＢとＤの和との差の信号、すなわち（Ａ＋Ｃ）−（Ｂ＋Ｄ）は、フォーカス誤差信号として用いられることは周知の通りである。ここでは、（Ａ＋Ｃ）の信号と（Ｂ＋Ｄ）の信号とがオペアンプの＋入力端子および−入力端子に入力され、これら相互の位相差としてではなく、レベルの差がフォーカシング誤差信号として出力される。そして、このフォーカシング誤差信号の周波数領域は１０〜２０ＫＨｚであって、上記位相差方式によるトラッキング誤差信号とは明らかに周波数の領域が異なっている。
【００１２】
本発明は上に述べたような従来技術の問題点を解消するためになされたもので、信号線間のクロストークを抑制して、高速の再生においても的確にトラッキング誤差信号を得ることができる光学的情報再生装置を提供することを目的とする。
【００１３】
【課題を解決するための手段】
請求項１記載の発明は、４分割形受光セルを備えた受光素子を有し、４分割形受光セルの互いに対角に位置する２つのセルの出力を組として加算して２つの組の出力を得、この２つの組の出力の位相を比較してトラッキング誤差信号を得るようにした光学的情報再生装置において、４分割形受光セルの各セルに接続された配線パターンを介して４分割形受光セルからの出力を取り出すようになっており、対角に位置する一組のセルに接続される２つの配線パターンと対角に位置する他の一組のセルに接続される他の２つの配線パターン間には、４分割形受光セルからの出力とは異なる性質の信号が通る配線パターンが配置されていることを特徴とする。
【００１４】
請求項２記載の発明は、請求項１記載の発明において、上記対角に位置する一組のセルに接続される２つの配線パターンは隣接して配置されるとともに、上記対角に位置する他の一組のセルに接続される他の２つの配線パターンは隣接して配置されていることを特徴とする。
請求項３記載の発明は、請求項１記載の発明において、上記対角に位置するセルに接続される２つの配線パターンの間に、他の配線パターンが配置されていることを特徴とする。
請求項４記載の発明は、請求項１記載の発明において、４分割形受光セルからの出力とは異なる性質の信号が通る配線パターンは、電源供給線、グランド線等のインピーダンスの低い配線パターン、または周波数帯域の異なる信号が通る配線パターン、もしくは上記４分割形受光セルとは異なる受光セルに接続された配線パターンの何れかであることを特徴とする。
請求項５記載の発明のように、上記隣接して配置される２つの配線パターンは、トラッキング誤差信号を得るための信号を流すものであってもよい。
【００１５】
請求項６記載の発明は、４分割形受光セルを備えた受光素子は、各受光セルに電気的に接続されるとともに回路配線基板に接続される端子を有するものであり、対角に位置する一組のセルに接続される２つの端子と対角に位置する他の一組のセルに接続される他の２つの端子との間には、４分割形受光セルからの出力とは異なる性質の信号が通る端子が配置されていることを特徴とする。
【００１６】
請求項７記載の発明は、請求項４記載の発明において、受光素子は光ピックアップ装置に設けられ、２つの組の出力の位相を比較する位相比較部は光学的情報再生装置の制御基板に設けられ、上記光ピックアップ装置の受光素子と上記制御基板との間はフレキシブル回路基板で接続されていることを特徴とする。
【００１７】
【発明の実施の形態】
以下、図１ないし図４を参照しながら本発明にかかる光学的情報再生装置の実施の形態について説明する。
図１において、光ピックアップ１０は、フレキシブルプリント基板等の配線パターン１６の介在の下に、システムボード２０のフロントエンドＩＣ２２に接続されている。光ピックアップ１０は受光素子１２を有する。受光素子１２は、一側部にＥ１，Ｅ２，Ｆ１，Ｆ２，ＲＦ，ＧＮＤの各端子をこの順に有し、他方の側部にＣ，Ａ，Ｖｒｅｆ，Ｂ，Ｄ，Ｖｃｃの各端子をこの順に有している。受光素子１２は光ピックアップ１０内の配線基板上に実装され、この配線基板上の配線パターン１４を経てコネクタに接続されている。配線パターン１４は、ＲＦ，ＧＮＤ，Ｃ，Ａ，Ｖｒｅｆ，Ｂ，Ｄ，Ｖｃｃの順になっていて、この順に従って光ピックアップ１０側のコネクタが配置されている。
【００１８】
上記システムボード２０側もコネクタを有し、このコネクタからフロントエンドＩＣ２２に至る配線パターン１８を有する。このシステムボード２０側のコネクタ配置と配線パターン１８は、上記光ピックアップ１０側のコネクタ配置に合わせて配置されていて、光ピックアップ１０側のコネクタとシステムボード２０側のコネクタとを上記フレキシブルプリント基板等からなる配線パターン１６が電気的に接続している。上記システムボード２０は、光学的情報再生装置の制御基板をなすものであって、図６について説明したような、加算器、波形等化回路、波形整形回路、位相比較部などを有している。
【００１９】
受光素子１２の構成を、図２を参照しながらより詳細に説明する。図２において、受光素子１２は、４つのセルＡ，Ｂ，Ｃ，Ｄからなる４分割形受光セル２４を有し、その両側にも、二つのセルＥ１，Ｅ２からなる受光セル２６と、同じく二つのセルＦ１，Ｆ２からなる受光セル２８とを有している。受光素子１２の一側部に配置された各端子のうち、Ｅ１，Ｅ２，Ｆ１，Ｆ２は、上記のセルＥ１，Ｅ２およびセルＦ１，Ｆ２にそれぞれつながっている。図１に示すように、この例ではＥ１，Ｅ２，Ｆ１，Ｆ２は使用していない。ＲＦとは、記録媒体に記録されている情報信号の読み取り信号のことであって、受光素子１２内で４分割形受光セルの４つのセルＡ，Ｂ，Ｃ，Ｄの出力を合成することによって得られる。ＧＮＤとは接地のことである。
【００２０】
受光素子１２の他方の側部に配置された各端子のうち、Ｃ，Ａ，Ｂ，Ｄは、上記４分割形受光セル２４のそれぞれ対応するセルＣ，Ａ，Ｂ，Ｄにつながっている。４つのセルＡ，Ｂ，Ｃ，Ｄの配置関係は、図６について説明した従来例におけるセルａ，ｂ，ｃ，ｄの配置関係と実質的に同じ配置関係になっている。従って、２つの受光セルＡとＣは互いに対角に位置し、他の２つの受光セルＢとＤも互いに対角に位置している。互いに対角に位置する２つの受光セルＡとＣの出力を組として加算器で加算し、加算信号を得るようになっている。互いに対角に位置する他の２つの受光セルＢとＤの出力も組として加算器で加算され、加算信号を得るようになっている。これらの加算信号は、波形等化、波形整形等の処理が行われ、さらに上記二組の加算信号の位相比較が行われることによってトラッキング誤差信号が得られるようになっている。図１、図２において、Ｖｒｅｆは、一定の参照電圧を示し、Ｖｃｃは電源を示す。
【００２１】
図１、図２から明らかなとおり、４分割形受光セルの各セルＡ，Ｂ，Ｃ，Ｄにつながる端子Ａ，Ｂ，Ｃ，Ｄのうち、互いに対角に位置する一組のセルＡ，Ｃに接続される２つの端子Ａ，Ｃは隣接して配置されるとともに、互いに対角に位置する他の一組のセルＢ，Ｄに接続される他の２つの端子Ｂ，Ｄも隣接して配置されている。そして、互いに異なる組のセルに接続される二組の端子間には、上記４分割形受光セル２４からの出力とは異なる性質の信号が通る端子が配置されている。より具体的には、一組の端子Ａ，Ｃと他の一組の端子Ｂ，Ｄとの間には、４分割形受光セル２４からの出力とは異なる性質の信号であり、インピーダンスの低いＶｒｅｆが印加されている。また、上記一組の端子Ａ，ＣとＲＦ端子との間にはインピーダンスの低いＧＮＤが介在しており、ＲＦ信号と受光セルＡ，Ｃの出力信号との間を遮断している。従って、ＲＦ信号と受光セルＡ，Ｃの出力信号との間でクロストークを生じることはない。
【００２２】
上記のように、相隣接している一組の端子Ａ，Ｃを通る信号は図７、図８でも説明したとおり同位相の信号であり、相互間のクロストークは問題にならない。同様に、相隣接している他の一組の端子Ｂ，Ｄを通る信号は同位相の信号であり、相互間のクロストークは問題にならない。しかし、端子Ａ，Ｃを通る信号と端子Ｂ，Ｄを通る信号は位相が異なり、かつ、前述のように高い周波数の信号が通るため、これらが互いに隣接しているとクロストークの問題が発生する。その点、図１、図２に示す例によれば、一組の端子Ａ，Ｃと他の一組の端子Ｂ，Ｄとの間にはインピーダンスの低いＶｒｅｆ端子があり、これが一組の端子Ａ，Ｃと他の一組の端子Ｂ，Ｄとの間のクロストークを遮断する役割を果たし、トラッキング誤差信号を誤りなく検出することができるようになっている。
【００２３】
受光素子１２の端子の配置に対応して、光ピックアップ１０内の配線パターン１４、フレキシブルプリント基板等の配線パターン１６、システムボード２０側の配線パターン１８も、受光素子１２の端子の配置と同じになっている。従って、配線パターンにおいても、同位相の信号が通る配線パターンＡ，Ｃが相隣接するとともに、同位相の信号が通る他の配線パターンＢ，Ｄが相隣接し、一組の配線パターンＡ，Ｃと他の一組の配線パターンＢ，Ｄとの間にはインピーダンスの低いＶｒｅｆが印加される配線パターンがあり、これが一組の配線パターンＡ，Ｃと他の一組の配線パターンＢ，Ｄとの間のクロストークを遮断する役割を果たし、トラッキング誤差信号を誤りなく検出することができるようになっている。
【００２４】
一組の端子ないしは配線パターンＡ，Ｃと他の一組の端子ないしは配線パターンＢ，Ｄとの間に配置する端子ないしは配線パターンは、４分割形受光セル２４からの出力とは異なる性質の信号が通る端子ないしは配線パターンであればよく、上記Ｖｒｅｆに代えて、電源やグランドなどのインピーダンスの低い信号が通るものであってもよい。また、４分割形受光セル２４から出力される信号の周波数帯域とは全く異なる周波数帯域の信号が通るものであってもよい。図３に示す例では、一組の配線パターンＡ，Ｃと他の一組の配線パターンＢ，Ｄとの間に、グランドあるいは電源につながる配線パターンが配置されている。
【００２５】
図２に示す受光素子１２は、ＣＤとＤＶＤに兼用させることができる受光素子として設計され、４分割形受光セル２４のほかに、その両側に受光セル２６、２８を有している。これら三つの受光セルを用いて３ビーム方式でトラッキング誤差信号を得ることができ、その他の用途にも用いることができるようになっている。上記受光セル２６、２８からの検出信号は、４分割形受光セル２４から出力される信号の周波数帯域とは全く異なる低い周波数帯域の信号であるから、この受光セル２６、２８からの検出信号が通る端子ないしは配線パターンを、一組の端子ないしは配線パターンＡ，Ｃと他の一組の端子ないしは配線パターンＢ，Ｄとの間に配置してもよい。これによって一組の端子ないしは配線パターンＡ，Ｃと他の一組の端子ないしは配線パターンＢ，Ｄとの間のクロストークを抑制することができる。
【００２６】
一組の端子ないしは配線パターンＡ，Ｃと他の一組の端子ないしは配線パターンＢ，Ｄは、必ずしも一平面に配置することに限定されるものではなく、立体的に配置してもよい。図４に示す例はこれを概念的に示すもので、フレキシブル配線基板などからなる基板３０の一面側に配線パターンＡ，Ｃを配置し、基板３０の他面側に配線パターンＢ，Ｄを配置している。基板３０は例えば導体をベースにしてこれを絶縁剤でコーティングし、その上に上記配線パターンＡ，Ｃ、配線パターンＢ，Ｄを配置してもよい。その場合、上記導体に４分割形受光セルからの出力とは異なる性質の信号、例えば、電源供給線、グランド等のインピーダンスの低い信号、または周波数帯域の異なる信号を通すようにしてもよい。こうすることによって、配線パターンＡ，Ｃと、配線パターンＢ，Ｄとの間のクロストークを抑制することができる。基板３０の両面には、上記配線パターンＡ，Ｃ、配線パターンＢ，Ｄのほかに他の配線パターンを配置してもよい。
【００２７】
また、光ピックアップ１０内の配線パターン１４と、システムボード２０側の配線パターン１８とを接続する配線パターン１６は、その主要領域ないしは多くの領域が上記のように構成されていればよく、全てが上記のように配置されていなくても、所期の効果を得ることができる。
なお、各端子にはピンが設けられていてもよいし、無くてもよい。
対角に位置する一組のセルに接続される２つの配線パターンＡ、Ｃ間には、セルに接続される配線パターンを除くＧＮＤ、Ｖｃｃなどの他の配線パターンが介在していてもよい。同様に、他の対角に位置する一組のセルに接続される２つの配線パターンＢ、Ｄ間にも、セルに接続される配線パターンを除く他の配線パターンが介在していてもよい。
【００２８】
【発明の効果】
本発明によれば、４分割形受光セルを備えた受光素子を有し、上記４分割形受光セルの互いに対角に位置する２つのセルの出力を組として加算して２つの組の出力を得、この２つの組の出力の位相を比較してトラッキング誤差信号を得るようにした光学的情報再生装置において、４分割形受光セルの各セルに接続された配線パターンを介して４分割形受光セルからの出力を取り出すようになっており、対角に位置する一組のセルに接続される２つの配線パターンと対角に位置する他の一組のセルに接続される他の２つの配線パターンとの間には、４分割形受光セルからの出力とは異なる性質の信号が通る配線パターンが配置されているため、対角に位置する一組のセルおよび対角に位置する他の一組のセルにそれぞれ接続される配線パターン同志では同相の信号が流れるためクロストークがなく、かつ、対角に位置する一組のセルおよび対角に位置する他の一組のセルにそれぞれ接続される配線パターン相互間には４分割形受光セルからの出力とは異なる性質の信号が通る配線パターンが配置されることによって相互間が遮断されるため、クロストークを抑制することができる。これによって、誤りのないトラッキング誤差信号を得ることができる。
【００２９】
請求項４記載の発明によれば、上記４分割形受光セルからの出力とは異なる性質の信号が通る配線パターンは、電源供給線、グランド等のインピーダンスの低い配線パターン、または周波数帯域の異なる信号が通る配線パターン、もしくは上記４分割形受光セルとは異なる受光セルに接続された配線パターンの何れかであるため、対角に位置する一組のセルおよび対角に位置する他の一組のセルにそれぞれ接続される配線パターン相互間が遮断され、クロストークを抑制して、誤りのないトラッキング誤差信号を得ることができる。
【００３０】
請求項６記載の発明によれば、４分割形受光セルを備えた受光素子は、各受光セルに電気的に接続されるとともに回路配線基板に接続される端子を有するものであり、対角に位置する一組のセルに接続される２つの端子は隣接して配置されるとともに、対角に位置する他の一組のセルに接続される他の２つの端子は隣接して配置され、かつ、互いに異なる組のセルに接続される一組の端子と他の一組の端子との間には、上記４分割形受光セルからの出力とは異なる性質の信号が通る端子が配置されているため、対角に位置する一組のセルおよび対角に位置する他の一組のセルにそれぞれ接続される端子同志では、同相の信号が流れるためクロストークがなく、かつ、対角に位置する一組のセルおよび対角に位置する他の一組のセルにそれぞれ接続される端子相互間には４分割形受光セルからの出力とは異なる性質の信号が通る端子が配置されることによって相互間が遮断され、クロストークを抑制することができる。これによって、請求項１記載の発明と同様に、誤りのないトラッキング誤差信号を得ることができる。
【図面の簡単な説明】
【図１】本発明にかかる光学的情報再生装置の実施の形態を示す配線図である。
【図２】同上実施形態中の受光素子の部分を示す平面図である。
【図３】本発明に適用可能な配線パターンの別の例を示す配線図である。
【図４】本発明に適用可能な配線パターンのさらに別の例を示す断面図である。
【図５】従来の光学的情報再生装置の例を示す配線図である。
【図６】従来の光学的情報再生装置に用いられるトラッキング誤差検出回路の例を示すブロック図である。
【図７】従来の光学的情報再生装置のトラッキング誤差検出原理を示すもので、トラッキング誤差がない場合の（ａ）は光スポットとピットとの関係を示す平面図、（ｂ）は光検出器と縁視野像との関係を示す平面図、（ｃ）は各受光セルの出力を示す波形図、（ｄ）は加算器からの出力を示す波形図である。
【図８】従来の光学的情報再生装置のトラッキング誤差検出原理を示すもので、トラッキング誤差がある場合の（ａ）は光スポットとピットとの関係を示す平面図、（ｂ）は光検出器と縁視野像との関係を示す平面図、（ｃ）は各受光セルの出力を示す波形図、（ｄ）は加算器からの出力を示す波形図である。
【符号の説明】
１０  光ピックアップ
１２  受光素子
１４  配線パターン
１６  配線パターン
１８  配線パターン
【図１】
0003641574.tif 000002
【図２】
0003641574.tif 000003
【図３】
0003641574.tif 000004
【図４】
0003641574.tif 000005
【図５】
0003641574.tif 000006
【図６】
0003641574.tif 000007
【図７】
0003641574.tif 000008
【図８】
0003641574.tif 000009